(57)【要約】【課題】アーム部材に関する操作を容易かつ速やかに行うことができると共に、アーム部材を十分な長さに設定することができるネット用ブラケットを提供する。【解決手段】ネット用ブラケット１０は、建造物の周囲に沿って配設される足場支柱１９の楔受け２１に楔部材２０が嵌入されて取付けられている。このネット用ブラケット１０は、ネット用ブラケット本体１１と、足場板１２の延びる方向と直交方向に延びるアーム部材１３と、保護用ネット１４を掛け止めるための掛止部材１５とを備えている。ネット用ブラケット本体１１にはアーム部材１３を回動してネット用ブラケット本体１１の一端部外方位置及び他端部外方位置に位置変更可能にする回動部材２３が設けられると共に、該回動部材２３にはアーム部材１３を足場支柱１９の延びる方向へ回転させる回転部材３０が設けられている。【選択図】図５
2011038249.tif 000002
【特許請求の範囲】
【請求項１】
建造物の周囲に沿って配設される足場支柱に取付部材で取付けられるネット用ブラケット本体と、該ネット用ブラケット本体に対して連結され、足場板の延びる方向と直交方向に延びるアーム部材と、前記ネット用ブラケット本体又はアーム部材には保護用ネットを掛け止めるための掛止部材とを備えたネット用ブラケットであって、
前記ネット用ブラケット本体は足場板の延びる方向に足場支柱よりも長く形成され、該ネット用ブラケット本体にはアーム部材をネット用ブラケット本体の一端部外方位置又は他端部外方位置の少なくとも一方に位置変更可能にする回動部材が設けられると共に、該回動部材にはアーム部材を足場支柱と平行に延びるように回転させる回転部材が設けられ、さらにアーム部材は外側筒体内に内側筒体が嵌挿されて内側筒体が外側筒体に対して伸縮自在に構成されていることを特徴とするネット用ブラケット。
【請求項２】
前記ネット用ブラケット本体は足場板と同じ方向に延び両側部及びそれらの両側部を連結する底部によりチャンネル状に形成されたチャンネル部材の側部外面に足場支柱の楔受けに嵌合される取付部材としての楔部材を有し、回動部材は両側板及びそれらの両側板を連結する連結板により断面Ｕ字状に形成されチャンネル部材に対して回動可能に支持され、回転部材は回動部材の連結板外面に配置され回動部材に対して回転可能に支持されていることを特徴とする請求項１に記載のネット用ブラケット。
【請求項３】
前記回転部材は両側壁及びそれらの両側壁を接続する接続壁により断面コ字状に形成され、回動部材がチャンネル部材の一端部外方位置又は他端部外方位置へ回動されたとき、両側壁及び接続壁がチャンネル部材の両側部又は底部に係合して回転不能となるように構成され、回転部材がチャンネル部材の両側部に接触しない位置にあるとき回転可能となるように構成されていることを特徴とする請求項２に記載のネット用ブラケット。
【請求項４】
前記回動部材の両側板には第１貫通孔、チャンネル部材の両側部には第２貫通孔が設けられ、両貫通孔を貫くように回動軸が支持されると共に、回動部材の連結板には第１挿通孔及び回転部材の接続壁には第２挿通孔が設けられ、両挿通孔を貫くように回転軸が支持されていることを特徴とする請求項２又は請求項３に記載のネット用ブラケット。
【請求項５】
前記チャンネル部材の両側部の両端隅部には両端側ほど低くなる傾斜部が設けられていることを特徴とする請求項２から請求項４のいずれか１項に記載のネット用ブラケット。
【発明の詳細な説明】
【技術分野】
【０００１】
本発明は、建造物の建設や増改築、外壁の修理や塗装などの工事において用いられる保護用ネットを掛け止めるために使用されるネット用ブラケットに関する。
【背景技術】
【０００２】
従来この種のネット用ブラケットは、建造物の周囲に沿って配設された足場支柱に、クランプを介して着脱可能に取付けられたネット用ブラケット本体を備え、該ネット用ブラケット本体には回動支持軸を介して円筒状のアーム部材が不使用時の起立状態から使用時の水平状態まで回動可能に支持されている。また、ネット用ブラケット本体の上部とアーム部材の先端には、保護用ネットを掛け止めるためのフック金具が溶接されている。前記アーム部材の基端底部には、ネット用ブラケット本体に係合する水平状態維持手段としての支持杆が溶接されている。ところが、このネット用ブラケットではネット用ブラケット本体の係合凹部に支持杆が係合され、アーム部材の水平状態が維持されているため、アーム部材は下方へは回動しないが、上方への力が加わったときにはアーム部材が浮き上がるという問題があった。
【０００３】
そのような問題点を解決するために、本願出願人は次のようなネット用ブラケットを提案した（特許文献１を参照）。すなわち、アーム部材の基端部に水平維持手段を備えると共に、ネット用ブラケット本体の両側部にアーム部材の水平状態においてアーム部材の先端側の上方への回動を規制する係止凸部を備えている。従って、アーム部材の水平状態でアーム部材に上方への力が作用したときには、アーム部材が係止凸部に係合し、上方への回動が規制される。
【先行技術文献】
【特許文献】
【０００４】
【特許文献１】特開２００２−１４７０２５号公報（第２頁及び第４頁）
【発明の概要】
【発明が解決しようとする課題】
【０００５】
しかしながら、特許文献１に記載のネット用ブラケットにおいては、断面コ字状に形成されたネット用ブラケット本体がクランプにより足場支柱に固定されている、すなわちネット用ブラケット本体は足場支柱の裏側に位置している。このため、アーム部材を不使用時の起立状態と使用時の水平状態との間で切り替える操作やアーム部材を構成するアウターパイプに対してインナーパイプを伸縮させる操作などを行う場合に足場支柱が邪魔になって操作が難しく、多くのネット用ブラケットについてそのような操作を行う場合に予想外の時間を要するという問題があった。
【０００６】
加えて、アーム部材の基端部はネット用ブラケット本体の枠内で起立状態又は水平状態をとることから、アウターパイプの長さ及びその中に収容されるインナーパイプの長さが制限される。従って、アーム部材を任意かつ十分な長さに設定することができず、ネット用ブラケットとしての機能を十分に果たすことができない場合があった。
【０００７】
本発明は、このような従来技術に存在する問題点に着目してなされたものであり、その目的とするところは、アーム部材に関する操作を容易かつ速やかに行うことができると共に、アーム部材を十分な長さに設定することができるネット用ブラケットを提供することにある。
【課題を解決するための手段】
【０００８】
上記の目的を達成するために、請求項１に記載の発明のネット用ブラケットは、建造物の周囲に沿って配設される足場支柱に取付部材で取付けられるネット用ブラケット本体と、該ネット用ブラケット本体に対して連結され、足場板の延びる方向と直交方向に延びるアーム部材と、前記ネット用ブラケット本体又はアーム部材には保護用ネットを掛け止めるための掛止部材とを備えている。そして、前記ネット用ブラケット本体は足場板の延びる方向に足場支柱よりも長く形成され、該ネット用ブラケット本体にはアーム部材をネット用ブラケット本体の一端部外方位置又は他端部外方位置の少なくとも一方に位置変更可能にする回動部材が設けられると共に、該回動部材にはアーム部材を足場支柱と平行に延びるように回転させる回転部材が設けられ、さらにアーム部材は外側筒体内に内側筒体が嵌挿されて内側筒体が外側筒体に対して伸縮自在に構成されていることを特徴とする。
【０００９】
請求項２に記載のネット用ブラケットは、請求項１に係る発明において、前記ネット用ブラケット本体は足場板と同じ方向に延び両側部及びそれらの両側部を連結する底部によりチャンネル状に形成されたチャンネル部材の側部外面に足場支柱の楔受けに嵌合される取付部材としての楔部材を有し、回動部材は両側板及びそれらの両側板を連結する連結板により断面Ｕ字状に形成されチャンネル部材に対して回動可能に支持され、回転部材は回動部材の連結板外面に配置され回動部材に対して回転可能に支持されていることを特徴とする。
【００１０】
請求項３に記載のネット用ブラケットは、請求項２に係る発明において、前記回転部材は両側壁及びそれらの両側壁を接続する接続壁により断面コ字状に形成され、回動部材がチャンネル部材の一端部外方位置又は他端部外方位置へ回動されたとき、両側壁及び接続壁がチャンネル部材の両側部又は底部に係合して回転不能となるように構成され、回転部材がチャンネル部材の両側部に接触しない位置にあるとき回転可能となるように構成されていることを特徴とする。
【００１１】
請求項４に記載のネット用ブラケットは、請求項２又は請求項３に係る発明において、前記回動部材の両側板には第１貫通孔、チャンネル部材の両側部には第２貫通孔が設けられ、両貫通孔を貫くように回動軸が支持されると共に、回動部材の連結板には第１挿通孔及び回転部材の接続壁には第２挿通孔が設けられ、両挿通孔を貫くように回転軸が支持されていることを特徴とする。
【００１２】
請求項５に記載のネット用ブラケットは、請求項２から請求項４のいずれか１項に係る発明において、前記チャンネル部材の両側部の両端隅部には両端側ほど低くなる傾斜部が設けられていることを特徴とする。
【発明の効果】
【００１３】
本発明によれば、次のような効果を発揮することができる。
請求項１に係る発明のネット用ブラケットでは、ネット用ブラケット本体は足場板の延びる方向に足場支柱よりも長く形成され、該ネット用ブラケット本体にはアーム部材をネット用ブラケット本体の一端部外方位置又は他端部外方位置の少なくとも一方に位置変更可能にする回動部材が設けられている。このため、アーム部材はネット用ブラケット本体の一端部外方位置又は他端部外方位置のいずれの位置でも足場支柱の裏側から足場板の延びる方向へ離れており、アーム部材に関する操作を足場支柱に妨げられることなく行うことができる。
【００１４】
また、アーム部材は外側筒体内に内側筒体が嵌挿されて内側筒体が外側筒体に対して伸縮自在に構成されていることから、内側筒体を外側筒体に対して伸縮させ、任意の長さに設定することができる。さらに、回動部材にはアーム部材を回転させる回転部材が設けられていることから、ネット用ブラケットの不使用時にはアーム部材を足場支柱と平行に延びるように設定することができる。
【００１５】
従って、本発明のネット用ブラケットによれば、アーム部材に関する操作を容易かつ速やかに行うことができると共に、アーム部材を十分な長さに設定することができる。
【図面の簡単な説明】
【００１６】
【図１】実施形態におけるネット用ブラケットを示す図であり、（ａ）はネット用ブラケットの平面図及び（ｂ）はネット用ブラケットの正面図。
【図２】ネット用ブラケットの特に掛止部材を示す右側面図。
【図３】ネット用ブラケットの特に掛止部材を示す左側面図。
【図４】アーム部材のロック機構を示す断面図。
【図５】ネット用ブラケットの作用を示す図であって、回動部材を一端部外方位置又は他端部外方位置へ回動させた状態を示す斜視図。
【図６】ネット用ブラケットの作用を示す図であって、回転部材を回転させてアーム部材を不使用状態に設定した状態を示す斜視図。
【発明を実施するための形態】
【００１７】
以下、本発明の実施形態を図面に基づいて詳細に説明する。
図１（ａ）及び（ｂ）に示すように、ネット用ブラケット１０はネット用ブラケット本体１１と、ネット用ブラケット本体１１に対して連結され足場板１２の延びる方向と直交方向に延びるアーム部材１３と、アーム部材１３に設けられる保護用ネット１４を掛け止めるための掛止部材１５とを備えている。ネット用ブラケット１０は鋼材などの金属により形成され、所定の強度を有している。前記ネット用ブラケット本体１１は足場板１２と同じ方向に延び、両側部１６及びそれらの両側部１６を連結する底部１７によってチャンネル状に形成されたチャンネル部材１８により構成されている。チャンネル部材１８の足場支柱１９側の側部１６外面には取付部材としての楔部材２０が溶接されている。図５に示すように、チャンネル部材１８はその楔部材２０が建造物の周囲に沿って配設される足場支柱１９の楔受け２１に嵌入されることにより、ネット用ブラケット１０が足場支柱１９に取付けられている。チャンネル部材１８の両側部１６の両端隅部には両端側ほど低くなるように傾斜する傾斜部２２が設けられている。
【００１８】
前記ネット用ブラケット本体１１は足場板１２の延びる方向に足場支柱１９よりも長く形成され、該ネット用ブラケット本体１１にはアーム部材１３をネット用ブラケット本体１１の一端部外方位置（図５の実線の位置）及び他端部外方位置（図５の二点鎖線の位置）の双方に位置変更可能にする回動部材２３が設けられている。該回動部材２３は両側板２４及びそれらの両側板２４を連結する連結板２５により断面Ｕ字状に形成され、前記チャンネル部材１８に対して回動可能に支持されている。すなわち、回動部材２３の両側板２４には第１貫通孔２６、チャンネル部材１８の両側部１６には第２貫通孔２７が設けられ、両貫通孔２６，２７を貫くように回動軸としてのボルト２８の軸部２８ａが貫通支持され、ナット２９がチャンネル部材１８の側部１６外面でボルト２８の軸部２８ａ先端に螺合されている。チャンネル部材１８の両側部１６の第２貫通孔２７は、チャンネル部材１８の足場板１２方向の中央部に設けられている。そして、このボルト２８を中心にして回動部材２３がネット用ブラケット本体１１の一端部から他端部まで１８０度の範囲で回動できるように構成されている。
【００１９】
前記回動部材２３の連結板２５外面にはアーム部材１３を足場板１２の延びる方向に対する直交方向から足場支柱１９と平行方向に延びるように回転させるための回転部材３０が設けられ、該回転部材３０は両側壁３１及びそれらの両側壁３１を接続する接続壁３２により断面コ字状に形成されている。前記回動部材２３の連結板２５には第１挿通孔３３及び回転部材３０の接続壁３２には第２挿通孔３４が設けられ、両挿通孔３３，３４を貫くように回転軸としてのボルト３５の軸部３５ａが挿通され、ナット３６が螺合されている。そして、このボルト３５を中心にして回転部材３０が回動部材２３に対して回転できるように構成されている。
【００２０】
前記回動部材２３がチャンネル部材１８の一端部又は他端部へ回動されたとき、回転部材３０の両側壁３１及び接続壁３２がチャンネル部材１８の両側部１６又は底部１７に係合して回転部材３０が回転不能となるように構成されている。この場合、アーム部材１３は足場板１２の延びる方向と直交方向に設定される。一方、回転部材３０の両側壁３１及び接続壁３２がチャンネル部材１８の両側部１６に接触しない位置まで回動されたとき（図６の二点鎖線で示す位置）回転部材３０が回転可能となるように構成され、アーム部材１３を足場支柱１９と平行に延びるように鉛直方向に設定できるようになっている。この場合、チャンネル部材１８の両端隅部には傾斜部２２が設けられているため、回動部材２３を小さい回動角度で回動させるだけで、回転部材３０の両側壁３１及び接続壁３２とチャンネル部材１８の両側部１６との係合を解除することができる。
【００２１】
図１（ａ）及び（ｂ）に示すように、前記アーム部材１３は外側筒体３７内に内側筒体３８が嵌挿されて内側筒体３８が外側筒体３７に対して伸縮自在に構成されている。図１（ａ）及び（ｂ）の実線に示す状態はアーム部材１３が伸びた状態を表し、図１（ａ）及び（ｂ）の二点鎖線に示す状態はアーム部材１３が縮んだ状態を表す。内側筒体３８の中間部外面には、内側筒体３８の軸線方向に直線的に延びる凹溝３９が形成されている。一方、外側筒体３７の先端側内面には、内側筒体３８の凹溝３９に係入される抜け止め突起４０が突設され、内側筒体３８を最も長く伸ばしたときに抜け止め突起４０が凹溝３９に係入された状態が保持され、内側筒体３８が外側筒体３７内から抜け落ちないようになっている。
【００２２】
図１（ａ）、（ｂ）及び図４に示すように、外側筒体３７の先端部周壁にはナット部材４１が一体形成され、該ナット部材４１には蝶ボルト４３の軸部４３ａが外側筒体３７を貫通するように螺入されている。そして、図４に示すように、蝶ボルト４３がナット部材４１に螺入され、その軸部４３ａ先端が内側筒体３８の外面に当接して押圧することにより、外側筒体３７に対する内側筒体３８の伸縮位置を固定できるようになっている。一方、蝶ボルト４３をナット部材４１から螺退させると、蝶ボルト４３の軸部４３ａ先端が内側筒体３８から離間され、外側筒体３７に対する内側筒体３８の伸縮位置を変更できるようになっている。これらの蝶ボルト４３、ナット部材４１等によりロック機構４４が構成されている。
【００２３】
図２に示すように、アーム部材１３の内側筒体３８の先端部外周面には、上部が下部よりも長いコ字状に形成された掛止部材１５と、下部が上部よりも長いコ字状に形成された掛止部材１５とが１８０度対向する位置で、上下に若干位置をずらすように取着されている。図３に示すように、アーム部材１３の外側筒体３７の基端部外周面には、上部が下部よりも長いコ字状に形成された掛止部材１５と、下部が上部よりも長いコ字状に形成された掛止部材１５とが１８０度対向する位置で、上下に若干位置をずらすように取着されている。そして、図５に示すように、これらの掛止部材１５に対して保護用ネット１４の掛止紐１４ａが掛止されるようになっている。
【００２４】
次に、本実施形態のネット用ブラケット１０の作用について説明する。
さて、図５に示すように、アーム部材１３を把持して回動部材２３をチャンネル部材１８に対して回動し、図５の実線に示すようにアーム部材１３がネット用ブラケット本体１１の一端部外方位置に位置するように配置する。或いは、建造物の特にコーナ部においてアーム部材１３をネット用ブラケット本体１１の一端部外方位置に配置できない場合には、図５の二点鎖線に示すように、回動部材２３を図５の反時計方向に回動させてアーム部材１３をネット用ブラケット本体１１の他端部外方位置に位置するように配置する。
【００２５】
いずれかの状態で、ロック機構４４を構成する蝶ボルト４３を緩め、蝶ボルト４３の軸部４３ａ先端と内側筒体３８との係合を解除し、内側筒体３８を外側筒体３７に対して所定長さまで伸長させる。その後、保護用ネット１４の両側に設けられている掛止紐１４ａを外側筒体３７及び内側筒体３８の掛止部材１５に掛止し、保護用ネット１４を足場板１２と同じ方向に延びるようにアーム部材１３上に張設する。このようにして保護用ネット１４が張設された状態で、足場板１２の上にて建造物の建設や、外壁の塗装、修理等の作業を行うことができる。このとき、工具、資材等を足場板１２と建造物との間の隙間に落としたとしても、それらの工具、資材等は保護用ネット１４で受け止められ、地上へ落下することが防止される。
【００２６】
上記の作業終了後には、保護用ネット１４を張設した状態で、図６の二点鎖線に示すように、図５の実線に示す状態から回動部材２３を図６の反時計方向に回動させ、回転部材３０の両側壁３１及び接続壁３２がチャンネル部材１８の両側部１６に係合しないようにすると、その位置で回転部材３０が回転可能となる。その状態で、回転部材３０を９０度回転させた後、図６の実線に示すように、アーム部材１３を鉛直方向に起立させることにより、アーム部材１３を足場支柱１９と平行に延びるように設定することができる。この状態では、アーム部材１３及び保護用ネット１４が足場板１２の側方へ突出していないため、足場板１２と建造物との間で作業を行うことができる。なお、ネット用ブラケット１０を必要としなくなった場合には、保護用ネット１４の掛止紐１４ａをアーム部材１３の掛止部材１５から外し、ネット用ブラケット本体１１の楔部材２０を足場支柱１９の楔受け２１から抜き出すことができる。
【００２７】
前述のように、アーム部材１３がネット用ブラケット本体１１の一端部外方位置又は他端部外方位置にある状態で、アーム部材１３の外側筒体３７に対する内側筒体３８の伸縮操作や掛止部材１５に対する保護用ネット１４の掛止操作を足場支柱１９に妨げられることなく行うことができる。さらに、回動部材２３の回動操作や回転部材３０の回転操作も足場支柱１９に妨げられることなく従来よりも良好に行うことができる。
【００２８】
以上の実施形態により発揮される効果について以下にまとめて記載する。
(1)  本実施形態のネット用ブラケット１０では、ネット用ブラケット本体１１は足場板１２の延びる方向に足場支柱１９よりも長く形成され、該ネット用ブラケット本体１１にはアーム部材１３をネット用ブラケット本体１１の一端部外方位置及び他端部外方位置の双方に位置変更可能にする回動部材２３が設けられている。このため、アーム部材１３はネット用ブラケット本体１１の一端部外方位置又は他端部外方位置のいずれの位置でも足場支柱１９の裏側から足場板１２の方向に離れており、アーム部材１３の操作を足場支柱１９に妨げられることなく容易に行うことができる。
【００２９】
また、アーム部材１３は外側筒体３７内に内側筒体３８が嵌挿されて内側筒体３８が外側筒体３７に対して伸縮自在に構成されていることから、伸縮範囲を広く設定することができ、その結果保護用ネット１４の張設範囲を建造物との間の隙間に応じて適切に設定することができる。この場合、内側筒体３８の長さは外側筒体３７の長さより長くなるように形成され、外側筒体３７の基端部は開放され内側筒体３８を外側筒体３７内へ収納したとき内側筒体３８の基端部が外側筒体３７の基端部から突出するように内側筒体３８が十分に長く形成されている。
【００３０】
さらに、回動部材２３にはアーム部材１３を回転させる回転部材３０が設けられていることから、ネット用ブラケット１０の不使用時にはアーム部材１３を足場支柱１９と平行に延びるように設定することができる。
【００３１】
従って、本実施形態のネット用ブラケット１０によれば、アーム部材１３に関する操作を容易かつ速やかに行うことができると共に、アーム部材１３を所望とする十分な長さに設定することができる。よって、アーム部材１３の長さを足場支柱１９と建造物との距離に応じて設定することができ、設定されたアーム部材１３の長さに対応する幅の保護用ネット１４を張設することができる。
【００３２】
(2)  ネット用ブラケット本体１１はチャンネル部材１８の側部１６外面に足場支柱１９の楔受け２１に嵌合される楔部材２０を有している。このため、ネット用ブラケット１０を足場支柱１９に取付ける場合には、ネット用ブラケット本体１１の楔部材２０を足場支柱１９の楔受け２１に嵌合することによって簡単に行うことができる。また、回動部材２３は両側板２４及び連結板２５により断面Ｕ字状に形成され、チャンネル部材１８の内側でチャンネル部材１８に対して回動可能に支持されている。そのため、回動部材２３を簡単な構成にし、回動操作を円滑に行うことができる。さらに、回転部材３０は回動部材２３の連結板２５外面に配置され回動部材２３に対して回転可能に支持されている。従って、回動部材２３がネット用ブラケット本体１１の一端部及び他端部の間の中間位置で回転部材３０の両側壁３１及び接続壁３２が回動部材２３の両側部１６に係合しない状態において、回転部材３０を回動部材２３の連結板２５外面で容易に回転させることができる。
【００３３】
(3)  回転部材３０は両側壁３１及び接続壁３２により断面コ字状に形成され、回動部材２３がネット用ブラケット本体１１の一端部外方位置又は他端部外方位置へ回動されたとき、両側壁３１及び接続壁３２がチャンネル部材１８の両側部１６又は底部１７に係合して回転不能となるように構成されている。このため、回転部材３０が回転不能となった状態で、アーム部材１３を固定し、使用状態にすることができる。一方、回転部材３０がチャンネル部材１８の両側部１６に接触しない位置にあるとき回転可能となるように構成されている。このため、回転部材３０がチャンネル部材１８の両側部１６に接触しない位置にあるときに回転部材３０を回転させ、アーム部材１３を起立させ足場支柱１９の延びる方向に設定して不使用状態にすることができる。
【００３４】
(4)  回動部材２３の両側板２４には第１貫通孔２６、チャンネル部材１８の両側部１６には第２貫通孔２７が設けられ、両貫通孔２６，２７を貫くように回動軸としてのボルト２８の軸部２８ａが支持されている。さらに、回動部材２３の連結板２５には第１挿通孔３３及び回転部材３０の接続壁３２には第２挿通孔３４が設けられ、両挿通孔３３，３４を貫くように回転軸としてのボルト３５の軸部３５ａが支持されている。従って、ボルト２８を中心にして回動部材２３を容易に回動させることができると共に、ボルト３５を中心にして回転部材３０を容易に回転させることができる。
【００３５】
(5)  チャンネル部材１８の両側部１６の両端隅部には両端側ほど低くなるように傾斜する傾斜部２２が設けられている。このため、回動部材２３をチャンネル部材１８の一端部外方位置又は他端部外方位置へ回動させたり、元の位置へ戻したりする操作を、チャンネル部材１８の両側部１６の両端隅部に接触することなく円滑に、しかも速やかに行うことができる。
【００３６】
なお、前記実施形態を次のように変更して具体化することも可能である。
・  前記回動部材２３を、アーム部材１３がネット用ブラケット本体１１の一端部外方位置又は他端部外方位置のいずれか一方のみに９０度回動できるように構成することもできる。
【００３７】
・  前記保護用ネット１４を掛止するための掛止部材１５をネット用ブラケット本体１１に設けることができる。
・  前記保護用ネット１４が張設されていない場合、回転部材３０を回動部材２３に対して回転させ、アーム部材１３を足場板１２の延びる方向と同方向に延びるように設定することもできる。
【００３８】
・  ネット用ブラケット１０を足場支柱１９に取付ける取付部材として、楔部材２０に代えてクランプ等を用いることもできる。
次に、前記実施形態から把握できる技術的思想について以下に記載する。
（イ）前記回動部材がネット用ブラケット本体の一端部外方位置又は他端部外方位置にあるとき、回転部材がチャンネル部材の側部又は底部に係合して位置決めされるように構成されていることを特徴とする請求項２から請求項５のいずれか１項に記載のネット用ブラケット。このように構成した場合、請求項２から請求項５のいずれかに係る発明の効果に加えて、アーム部材を足場板の延びる方向と直交方向に容易に設定することができる。
（ロ）前記チャンネル部材の両側部の第２貫通孔は、チャンネル部材の足場板方向の中央部に設けられていることを特徴とする請求項４又は請求項５に記載のネット用ブラケット。このように構成した場合、請求項４又は請求項５に係る発明の効果に加えて、チャンネル部材の構成を簡単にし、アーム部材をネット用ブラケット本体の一端部外方位置から他端部外方位置へ容易に変更することができる。
【符号の説明】
【００３９】
１０…ネット用ブラケット、１１…ネット用ブラケット本体、１２…足場板、１３…アーム部材、１４…保護用ネット、１５…掛止部材、１６…側部、１７…底部、１８…チャンネル部材、１９…足場支柱、２０…取付部材としての楔部材、２１…楔受け、２２…傾斜部、２３…回動部材、２４…側板、２５…連結板、２６…第１貫通孔、２７…第２貫通孔、２８ａ…回動軸としてのボルト、３０…回転部材、３１…側壁、３２…接続壁、３３…第１挿通孔、３４…第２挿通孔、３５…回転軸としてのボルト、３７…外側筒体、３８…内側筒体。
【図１】
2011038249.tif 000003
【図２】
2011038249.tif 000004
【図３】
2011038249.tif 000005
【図４】
2011038249.tif 000006
【図５】
2011038249.tif 000007
【図６】
2011038249.tif 000008